(57)【要約】  【課題】  超音波を送受信する超音波振動子部の位置ずれを抑制し、あるいは診断部位との位置合わせが簡便となり、正確な超音波診断を可能とする。  【解決手段】  超音波を送受信するための超音波振動子部３と、超音波振動子部と接続し、超音波振動子部を被験者２に固定するための超音波振動子部固定体５を備え、超音波振動子部の位置ずれを抑制する。【選択図】  図１Ａ
2006247214.tif 000002
【特許請求の範囲】
【請求項１】
被検者に対して超音波を送受信する超音波振動子部を有し、超音波診断装置に接続して使用する超音波探触子において、
前記超音波振動子部を前記被験者の体表の所定場所に圧接可能な第１の部位と、前記第１の部位から所定距離離間していて、前記被験者の体表の他の場所に圧接可能な第２の部位を有し、前記超音波振動子部を被検者に固定するための超音波振動子部固定体を有することを特徴とする超音波探触子。
【請求項２】
前記超音波振動子部固定体は、前記被検者に巻き付け可能な帯状部材と巻き付けた前記帯状部材を固定するための固定手段から構成されることを特徴とする請求項１に記載の超音波探触子。
【請求項３】
前記超音波振動子部固定体は、伸縮性を有するゴム材、合成樹脂材、布材のいずれかで構成されることを特徴とする請求項1又は２に記載の超音波探触子。
【請求項４】
前記超音波振動子部固定体は、複数の固定位置を有し、前記複数の固定位置から１つを選択可能な固定手段を有することを特徴とする請求項1から３のいずれか１つに記載の超音波探触子。
【請求項５】
前記超音波振動子部固定体は、連続的に固定位置を変更可能な固定手段を有することを特徴とする請求項１から３のいずれか１つに記載の超音波探触子。
【請求項６】
前記超音波振動子部固定体は、前記被検者の診断部位の形状に合わせて変形可能であり、かつ変形した形状を保持できることを特徴とする請求項１に記載の超音波探触子。
【請求項７】
前記超音波振動子部固定体は、ビニール被覆を施した金属から構成されることを特徴とする請求項６に記載の超音波探触子。
【請求項８】
前記超音波振動子部は、前記超音波振動子部固定体に沿って可動であることを特徴とする請求項６又は７に記載の超音波探触子。
【請求項９】
前記超音波振動子部固定体と前記被検者の間に配置され、少なくともその一部が前記振動子部固定体と接続された超音波伝搬媒体層を有することを特徴とする請求項６から８のいずれか１つに記載の超音波探触子。
【請求項１０】
前記超音波振動子部固定体は、バネ性を有するＣ字型部材で構成されることを特徴とする請求項１に記載の超音波探触子。
【請求項１１】
前記超音波振動子部固定体は、前記被検者と接触させるための被検者当接部を有することを特徴とする請求項１０に記載の超音波探触子。
【請求項１２】
前記超音波振動子部固定体は、その略中央部分の位置にケーブルを保持するためのケーブルガイドを有することを特徴とする請求項１０又は１１に記載の超音波探触子。
【請求項１３】
前記超音波振動子部固定体が、前記超音波振動子部の超音波を送受信する面の裏側の面上に配置されていることを特徴とする請求項１から１２のいずれか１つに記載の超音波探触子。
【請求項１４】
前記超音波振動子部は、貫通穴を有し、前記超音波振動子部固定体は、少なくともその一部が前記貫通穴を貫通していることを特徴とする請求項８から１２のいずれか１つに記載の超音波探触子。
【請求項１５】
前記超音波振動子部は、超音波を送受信する面の裏側の面上に鉤状の凸部を有し、前記超音波振動子部固定体は、前記鉤状の凸部に挟みこまれた構成であることを特徴とする請求項８から１３のいずれか１つに記載の超音波探触子。
【請求項１６】
前記超音波振動子部固定体は、超音波伝搬媒体を装填した袋帯状部材で構成されていることを特徴とする請求項１に記載の超音波探触子。
【請求項１７】
前記超音波振動子部固定体に接続され、前記超音波伝搬媒体の量を制御する超音波伝搬媒体量制御部を有することを特徴とする請求項１６に記載の超音波探触子。
【請求項１８】
前記超音波振動子部固定体に接続され、質量バランスを調整するための質量バランサを有することを特徴とする請求項１６又は１７に記載の超音波探触子。
【請求項１９】
前記超音波振動子部は、その個数が少なくとも２つ以上であることを特徴とする請求項１から１８のいずれか１つに記載の超音波探触子。
【請求項２０】
前記超音波振動子部は、複数の超音波振動素子が２次元マトリクス状に配列されたマトリクスアレイ素子で構成されることを特徴とする請求項１から１８のいずれか１つに記載の超音波探触子。
【請求項２１】
請求項１から２０のいずれか１つに記載の超音波探触子と、前記超音波探触子と電気的に接続された超音波診断装置本体とを含む超音波診断装置。
【発明の詳細な説明】
【技術分野】
【０００１】
本発明は、超音波を用いて生体情報を得るために使用される超音波探触子とこれを用いた超音波診断装置に関する。
【背景技術】
【０００２】
超音波診断装置は、超音波探触子を用いて生体に対して超音波の送受信を行うことにより、生体内の画像情報などを得るものであり、各種医療分野で活用されている。例えば、動脈硬化診断を目的とした頸動脈の超音波診断に用いられる超音波診断装置として、図１８に示すような構造のものが提案されている（例えば、下記の特許文献１参照）。この超音波診断装置においては、操作者が超音波探触子１を把持し、これを被検者２の頸部体表に当てて、超音波ビームを体内の血管２４に向けて放射する。血管２４から反射された超音波信号を超音波計測部２１で検出して、検波出力し、データ解析処理部２２で、検波信号に基づいて血管２４の特性を解析し、その解析結果を表示装置２３に表示する。
【特許文献１】特開２０００−２２９０７８号公報
【発明の開示】
【発明が解決しようとする課題】
【０００３】
しかしながら、超音波診断を実施する際に、体表に当てた超音波探触子が位置ずれを起こすと、検出する超音波信号が変化してしまい、診断画像がぶれてしまったり、得られる生体情報の精度に誤差が生じてしまうという問題があった。この問題は、頸動脈の診断や、手腕、足など体表面の湾曲度合いが大きな診断部位の診断時、生体の湾曲面と超音波探触子との密着を確保することが難しくなるために顕在化する。また、血管など診断部位を特定して生体情報を取得したい場合は、診断部位に正確に超音波探触子を位置合わせする必要がある。
【０００４】
そこで、本発明は、超音波探触子の位置ずれを抑制し、あるいは超音波探触子の位置合わせが簡便となり、正確な診断を可能とする超音波探触子及び超音波診断装置を提供することを目的とする。
【課題を解決するための手段】
【０００５】
上記目的を達成するために本発明の超音波探触子は、被検者に対して超音波を送受信する超音波振動子部を有し、超音波診断装置に接続して使用する超音波探触子であって、超音波振動子部を被験者の体表の所定場所に圧接可能な第１の部位と、第１の部位から所定距離離間していて、被験者の体表の他の場所に圧接可能な第２の部位を有し、超音波振動子部を被検者に固定するための超音波振動子部固定体を有する構成である。この構成により、超音波振動子部の位置ずれを抑制し、あるいは超音波振動子部の位置合わせが簡便となり、正確な診断を可能とする超音波探触子を提供することができる。
【０００６】
また、本発明の超音波探触子は、超音波振動子部固定体が被検者に巻き付け可能な帯状部材と巻き付けた帯状部材を固定するための固定手段から構成されることを特徴とする。この場合、超音波振動子部固定体は、伸縮性を有するゴム材、合成樹脂材、布材のいずれかで構成することもできる。この構成により、超音波振動子部の位置ずれを抑制し、あるいは超音波振動子部の位置合わせが簡便となる。
【０００７】
さらに、本発明の超音波探触子は、超音波振動子部固定体が、複数の固定位置を有し、複数の固定位置から１つを選択可能な固定手段を有する。あるいは超音波振動子部固定体が、連続的に固定位置を変更可能な固定手段を有する。この構成により、超音波振動子部の位置合わせが簡便となる。
【０００８】
さらに、本発明の超音波探触子は、超音波振動子部固定体が被検者の診断部位の形状に合わせて変形可能であり、かつ変形した形状を保持できることを特徴とする。この場合、超音波振動子部固定体が、ビニール被覆を施した金属から構成することもできる。この構成により、超音波振動子部の位置ずれを抑制し、あるいは超音波振動子部の位置合わせが簡便となる。
【０００９】
また、本発明の超音波探触子は、超音波振動子部が超音波振動子部固定体に沿って可動な構成を有する。この構成により、超音波振動子部の位置合わせが簡便となる。
【００１０】
さらに、本発明の超音波探触子は、超音波振動子部固定体と被検者の間に配置され、少なくともその一部が振動子部固定体と接続された超音波伝搬媒体層を有する。この構成によって、超音波振動子部と被検者の体表との密着性を高めるために通常使用するゼリーの別途塗布が必要なくなると同時に、変形可能な帯状部材又は線状構造部材から構成される超音波振動子部固定体は、その特性上ある程度の硬度が必要であるため、被検者に直接接触すると違和感を与えてしまうが、超音波伝搬体層を介することで直接被検者に接触することがなくなり、被検者へ与える違和感、不快感を低減させることができる。
【００１１】
また、本発明の超音波探触子は、超音波振動子部固定体がバネ性を有するＣ字型部材で構成されることを特徴とする。この場合、超音波振動子部固定体は、被検者と接触させるための被検者当接部を有するものとすることができる。この構成により、超音波振動子部固定体の超音波振動子部が付いていない片側を被験者の首などの診断部位と逆側にまわし込んだ状態で、超音波振動子部固定体のばね性を利用して被検者の首などを挟むようにして簡便に超音波振動子部を固定させることができる。また、例えばシリコーンゴムやウレタンゴムなどのゴム材を備えた被検者当接部を設けることで、超音波振動子部の固定を確実にすると同時に被検者が感じる違和感、不快感を低減させることができる。
【００１２】
さらに、本発明の超音波探触子は、超音波振動子部固定体が、その概中央部分の位置にケーブルを保持するためのケーブルガイドを有する。この構成により、ケーブルが揺れたり引っ張られたりした場合でも、超音波振動子部固定体の挟み込む動作のバランスが崩れて安定性を失うことを防ぐことで、より確実な固定を実現することができる。
【００１３】
また、本発明の超音波探触子は、超音波振動子部固定体が、超音波振動子部の超音波を送受信する面の裏側の面上に配置されていることを特徴とする。この構成により、簡単な構造で超音波振動子部を固定することができる。
【００１４】
さらに、本発明の超音波探触子は、超音波振動子部が貫通穴を有し、超音波振動子部固定体が少なくともその一部は前記貫通穴を貫通する構成である。この構成により、超音波振動子部のみを被験者の体表の湾曲形状に合わせて変形させた超音波振動子部固定体に沿って動かすことができるため、位置調整が容易となる。
【００１５】
また、本発明の超音波探触子は、超音波振動子部が超音波を送受信する面の裏側の面上に鉤状の凸部を有し、超音波振動子部固定体が鉤状の凸部に挟みこまれた構成である。この構成により、超音波振動子部のみを被験者の体表の湾曲形状に合わせて変形させた超音波振動子部固定体に沿って動かすことができるため、位置調整が容易となる。
【００１６】
さらに、本発明の超音波探触子は、超音波振動子部固定体が超音波伝搬媒体を装填した袋帯状部材で構成されている。この構成によって、超音波振動子部と被検者の体表との密着性を高めるために通常使用するゼリーの別途塗布が必要なくなると同時に、変形可能な帯状部材又は線状構造部材から構成される超音波振動子部固定体は、その特性上ある程度の硬度が必要であるため、被検者に直接接触すると違和感を与えてしまうが、超音波伝搬体層を介することで直接被検者に接触することがなくなり、被検者へ与える違和感、不快感を低減させることができる。
【００１７】
くわえて、本発明の超音波探触子は、超音波振動子部固定体に接続され、超音波伝搬媒体の量を制御する超音波伝搬媒体量制御部を有する。この構成により、超音波振動子部と被検者との距離を変化させることができ、さらに、例えば首などの曲率半径の小さな部位を診断する場合には、音響伝搬媒体量を減らすことで被検者との密着度合を良くするなど、被検者の形状に合わせて最適な密着度を実現することができる。
【００１８】
さらに、本発明の超音波探触子は、超音波振動子部固定体に接続され、質量バランスを調整するための質量バランサを有する構成である。この構成により、被検者に固定後に重力によって位置ずれを起こすことを防止することができる。
【００１９】
さらに、本発明の超音波探触子は、超音波振動子部の個数が少なくとも２つ以上である。この構成により、同時に複数箇所の診断が可能となる。
【００２０】
また、本発明の超音波探触子は、超音波振動子部が、複数の超音波振動素子が２次元マトリクス状に配列されたマトリクスアレイ素子で構成される。この構成により、送受信される超音波信号の位相を制御することで任意の方向に超音波ビームを形成することが可能となり、診断部位と超音波ビームの位置を合わせることによって、診断部位の診断情報を選択的に取得することが可能となるため、診断部位と超音波振動子部との厳密な位置合わせをすることなく、正確な診断情報を得ることが可能となる。
【００２１】
本発明の超音波診断装置は、上記本発明の超音波探触子と、この超音波探触子と電気的に接続された超音波診断装置本体とを含むことを特徴とする。この構成により、超音波振動子部で受波された反射波は、電気信号に変換されて、超音波診断装置本体の超音波計測部にて受信され、データ解析処理部に出力されて解析され、この解析結果が表示装置に出力される。
【発明の効果】
【００２２】
本発明は、超音波診断装置に接続して被検者に対して超音波を送受信する超音波探触子であって、超音波を送受信するための超音波振動子部と、超音波振動子部を被検者に固定するための超音波振動子部固定体を有した構成とすることにより、超音波振動子部の位置ずれを抑制し、あるいは超音波振動子部の位置合わせが簡便となり、正確な診断を可能とする超音波探触子を提供することができる。
【００２３】
また、本発明の超音波診断装置は、上述のような超音波探触子を使用しているため、より正確な診断をすることが可能となる。
【発明を実施するための最良の形態】
【００２４】
以下、本発明の好ましい実施の形態の超音波探触子及び超音波診断装置について、図面を用いて説明する。
＜第１の実施の形態＞
図１Ａは、本発明の第１の実施の形態に係る超音波探触子の使用状態を示す斜視図である。また、図１Ｂは図１Ａ中のＡ−Ａ'断面図である。超音波探触子１は、超音波診断装置を構成する際に、超音波診断装置本体（不図示）と電気的に接続されて使用され得るものであり、超音波を送受信する機能を有している。超音波探触子１は、被検者２の体表に当てて使用されるものであり、超音波を送受信するための、主として、例えば圧電セラミクスなどの圧電体から構成される超音波振動子部３と、超音波振動子部３と超音波診断装置本体とを接続するためのケーブル４とを備えている。
【００２５】
さらに、超音波探触子１は、超音波振動子部３を被検者２に固定するための超音波振動子部固定体５を有し、本実施の形態においては、例えば被検者２の首に固定するために、被検者２の首に巻き付け可能な帯状部材で構成することができる。帯状部材で構成された超音波振動子部固定体５の中央部分に、超音波振動子部３の超音波を送受信する面と逆側の面を、例えば接着剤などによって固定し、超音波振動子部３を被検者２の首の所望の診断部位に当てた後に超音波振動子部固定体５を首に巻き付けて、例えば図２中の面ファスナー７や図３中のホック８などの超音波振動子部固定体５上に具備した固定手段６を用いて固定する。このとき、例えば図２に示すように面ファスナー７の少なくとも片側の長さを超音波振動子部固定体５の被検者に巻き付ける方向に沿って長めに確保しておくことによって、互いの面ファスナー７を噛合させる場所を連続的に変化させることができるので、超音波振動子部固定体５が形成する環の大きさも連続的に変化させられるため、被検者２の首の太さに合わせて固定することができる。また、図３に示すようにホック８の片側を超音波振動子部固定体５に沿って位置を変えて複数配置しておくことによって、かみ合わせるホックの位置を選択することで、同じく超音波振動子部固定体５が形成する環の大きさを段階的に変化させることができ、被検者２の首の太さに合わせて固定できるようにする。
【００２６】
超音波振動子部固定体５を構成する帯状部材の材質については、特に限定されるものではなく、例えば、ナイロンなどの樹脂、ゴム、布、革などを用いることができる。さらに好ましくは、超音波振動子部固定体５を、例えば伸縮性を有するゴム材や合成樹脂材、布材などで構成された帯状部材で構成することによって、必要以上に被検者２を圧迫することなく超音波振動子部３を固定することができ、さらに伸縮性を利用して、超音波振動子部３を被検者２に密着させた状態で位置をずらすことも可能となるため、診断部位に対する位置合わせがやりやすくなる。
【００２７】
上記超音波探触子１によれば、被検者２に対して超音波を送受信する超音波振動子部３が、超音波振動子部固定体５によって被検者２に固定されるために、診断中の位置ずれが抑制されて安定した超音波信号の送受信を行うことができ、診断画像のブレが少なくなり、得られる生体情報の精度が向上するため、より正確な診断を可能とすることができる。さらに上記超音波探触子１によれば、超音波振動子部固定体５の伸縮性を利用して、超音波振動子部３を被検者２に密着させた状態で位置をずらすことが可能となるため、診断部位に対する位置合わせ作業が容易となり、より正確な診断を可能とすることができる。さらに固定手段６による固定位置を連続的あるいは段階的に変化させることによって、被検者２の診断箇所の大きさ、例えば首であれば首の太さに合わせて、超音波振動子部３を固定することが可能となるため、被検者２の固体差に影響されずに正確な診断を可能とすることができる。
【００２８】
なお、図１では単一の超音波振動子部３の場合について説明したが、例えば首の頸動脈を診断部位とした場合には、左右の頸動脈の位置に合わせて超音波振動子部３を２箇所設けることで、左右の頸動脈を同時に診断することも可能であり、超音波振動子部３の数や位置については、特に限定されるものではない。
【００２９】
さらに好ましくは、複数の超音波振動子部３を用いて同一の診断部位９を診断することで、図４Ａ、図４Ｂに示すように、例えば３つの超音波振動子部３を用いて、図４Ａのように中央の超音波振動子部３の位置に被検者２の診断部位９を合わせようとしたときに、診断部位９がわずかに左にずれた所で診断を開始してしまったとしても、図４Ｂのように左側の超音波振動子部３を用いて診断することができる。このように複数の超音波振動子部３を用いることで診断部位９との位置関係が最適である超音波振動子部３を選択的に用いて診断情報を取得することが可能となり、診断部位９と超音波振動子部３との厳密な位置合わせをすることなく、正確な診断が可能となる。
【００３０】
＜第２の実施の形態＞
図５Ａ、図５Ｂは、本発明の第２の実施の形態に係る超音波探触子を示す概略図である。なお、これらの図において、図１Ａと同一部分には同一番号を付している。この超音波探触子１は、第１の実施の形態と同様に、超音波振動子部３及びケーブル４を備えている。さらに本超音波探触子１は、超音波振動子部３を被検者２に固定するための超音波振動子部固定体５を有し、本実施の形態においては、例えば被検者２の首に固定するために、被検者２の首の形状に合わせて変形可能であり、かつ変形した形状を保持することができる帯状部材（図５Ａ）又は線状構造部材(図５Ｂ)で構成することができる。この場合、超音波振動子部３は超音波振動子部固定体５に固定されており、超音波振動子部３を被検者２の首の診断部位（図４Ａ、図４Ｂ中の符号９で示す位置に相当する）に配置した状態で、超音波振動子部固定体５を被検者２の首の湾曲形状に合わせて変形させることで超音波振動子部３の位置を固定させることができる。この状態で超音波振動子部３の位置を調整したい場合には、超音波振動子部３が首の湾曲形状に合わせて変形している超音波振動子部固定体５と一体で動くことで、首の湾曲形状に沿って動くので、位置の調整が容易となる。
【００３１】
さらに好ましくは、超音波振動子部３と超音波振動子部固定体５の固定方法として、図６に示すように超音波振動子部３に、例えば貫通穴１０を形成してガイドとし、その中に超音波振動子部固定体５の帯状部材又は線状構造部材を通して固定する。この場合において、超音波振動子部３の位置を調整したい場合、超音波振動子部３のみを首の湾曲形状に合わせて変形させた超音波振動子部固定体５に沿って動かすことができるため、位置調整が容易となる。
【００３２】
さらに好ましい実施の形態としては、図７に示すように超音波振動子部固定体５と図示省略の被検者との間に、例えばポリビニルアルコールやポリウレタン、シリコーンなどのゲル状高分子弾性体や、水を装填したゴム製袋体から構成される超音波伝搬体層１１を配置し超音波振動子部固定体５の両端部で接続して一体とし、超音波振動子部３の超音波を送受信する面が超音波伝搬体層１１に密着して超音波伝搬媒体層１１を介して被検者２と超音波信号のやりとりを行うことができる構成を有している。この構成によって、超音波振動子部３と被検者２体表との密着性を高めるために通常使用するゼリーの別途塗布が必要なくなると同時に、変形可能な帯状部材又は線状構造部材から構成される超音波振動子部固定体５は、その特性上ある程度の硬度が必要であるため、被検者２に直接接触すると違和感を与えてしまうが、超音波伝搬体層１１を介することで直接被検者２に接触することがなくなり、被検者２へ与える違和感、不快感を低減させることができる。
【００３３】
なお、変形可能であり、かつ変形した形状を保持することができる帯状部材又は線状構造部材から構成される超音波振動子部固定体５の材質については、特に限定されるものではないが、例えば、鉄、銅、黄銅などの金属材料が一般的であり、好ましくは金属材料に、例えばビニールなどからなる被覆を施したもので構成することによって、被検者２と接触した場合に、被検者２が感じる硬さや冷たさといった不快感を軽減することができる。
【００３４】
上記超音波探触子１によれば、被検者２に対して超音波を送受信する超音波振動子部３が、変形可能な帯状部材又は線状構造部材から構成される超音波振動子部固定体５が被検者２の形状に合わせた形に変形することによって、被検者２に固定されるために、診断中の位置ずれが抑制されて安定した超音波信号の送受信を行うことができ、診断画像のブレが少なくなり、得られる生体情報の精度が向上するため、より正確な診断を可能とすることができる。さらに上記超音波探触子１によれば、超音波振動子部固定体５が被検者２の診断部位の形状に沿った形状を有するため、超音波振動子部３の位置調整に際して超音波振動子部固定体５と一体で位置をずらす、あるいは超音波振動子部固定体５をガイドとして超音波振動子部３のみを動かすことによって、診断部位に対する位置合わせ作業が容易となり、より正確な診断を可能とすることができる。
【００３５】
なお、図５Ａ、図５Ｂから図７では単一の超音波振動子部３の場合について説明したが、例えば首の頸動脈を診断部位とした場合には、左右の頸動脈の位置に合わせて超音波振動子部３を２箇所設けることで、左右の頸動脈を同時に診断することも可能であり、超音波振動子部３の数や位置については、特に限定されるものではない。
【００３６】
さらに好ましくは、複数の超音波振動子部３を用いて同一の診断部位を診断することで、図４Ａ、図４Ｂと同様に診断部位との位置関係が最適である超音波振動子部３を選択的に用いて診断情報を取得することが可能となり、診断部位と超音波振動子部３との厳密な位置合わせをすることなく、正確な診断が可能となる。
【００３７】
さらに、本実施の形態では、超音波振動子部固定体５を帯状部材又は線状部材によって構成する場合について説明したが、超音波振動子部３が固定でき、かつ被検者２の診断部位の形状に合わせて変形可能でその形状を保持することが可能であれば、超音波振動子部固定体５の形状については、特に限定されるものではない。
【００３８】
また、図５Ａ、図５Ｂの実施の形態では、超音波振動子部固定体５が超音波振動子部３の被検者２と当接する面の裏面に配置し固定されている構成について説明したが、超音波振動子部３から被検者２に対して超音波を送受信する機能に支障なく固定されていれば、例えば超音波振動子部３の側面や被検者２との当接面に配置される場合であっても、その位置関係を特に限定するものではない。ただ好ましくは、超音波振動子部３の自重やケーブル４の自重によるぐらつきを抑制するために、超音波振動子部固定体５の配置位置の優先順位は、超音波振動子部３の被検者２と当接する面の裏面＞側面＞被検者２との当接面の順である。
【００３９】
＜第３の実施の形態＞
図８は、本発明の第３の実施の形態に係る超音波探触子の一例を示す概略図である。なお、本図において、図１と同一部分には同一番号を付している。この超音波探触子１は、第１の実施の形態と同様に、超音波振動子部３及びケーブル４を備えている。
【００４０】
さらに本実施の形態の超音波探触子１は、超音波振動子部３を被検者２に固定するための超音波振動子部固定体５を有し、本実施の形態においては、例えば被検者２の首に固定するために、ばね性を有するＣ字型の帯状部材又は線状部材で構成される。この場合、超音波振動子部３は超音波振動子部固定体５の片側端部近傍に固定されており、超音波振動子部３を被検者２の首の診断部位に配置し、超音波振動子部固定体５の超音波振動子部３が付いていない片側を首の診断部位と逆側にまわし込んだ状態で、超音波振動子部固定体５のばね性を利用して被検者２の首を挟むようにして簡便に超音波振動子部３を固定させることができる。本実施の形態においては、被検者２と超音波振動子部固定体５との当たりを良くして、かつズレを防止するために、超音波振動子部固定体５の超音波振動子部３が付いていない片側端部に、被検者２と接触する面に、例えばシリコーンゴムやウレタンゴムなどのゴム材で構成された被検者当接部１２を設けることで、超音波振動子部３の固定を確実にすると同時に被検者２が感じる不快感を低減させている。さらに好ましくは、この被検者当接部１２の大きさや重さを、超音波振動子部固定体５の逆側端部近傍に付いている超音波振動子部３と揃えることで、超音波振動子部固定体５のばね性による挟み込みの動作のバランスが取れるため、より確実な固定が可能となる。
【００４１】
また、本超音波探触子１は、図９に示すように、超音波診断装置本体（不図示）と接続するケーブル４を超音波振動子部固定体５の長手方向の概中央部分に設けたケーブルガイド１３に通して、超音波振動子部３から超音波振動子部固定体５に沿わせながら、最終的に超音波振動子部固定体５の長手方向の概中央部分から引き出すような構成を有している。Ｃ字型のばねの中央部は、ばねの両端部付近を作用点として挟み込む動作をすることに関しては支点の位置となり、ケーブル４を引き出す位置をそこに持ってくることで、ケーブル４が揺れたり引っ張られたりした場合でも、超音波振動子部固定体５の挟み込む動作のバランスが崩れて安定性を失うことを防ぐことで、より確実な固定を実現することができる。
【００４２】
さらに、本実施の形態の超音波探触子１は、超音波振動子部３と超音波振動子部固定体５との固定に関して、超音波振動子部３に貫通穴１０を設けることでガイドを形成し、そのガイドに超音波振動子部固定体５を通して固定する構成を有している。本構成によって、超音波振動子部３は超音波振動子部固定体５に沿って移動することが可能となり、被検者２の首の太さや診断部位の位置などによって最適な位置に変更することができる。なお、図８では超音波振動子部３に貫通穴１０を設けてガイドとしたが、例えば図１０に示すように鉤状凸部１８を設けてガイドとし、その鉤に超音波振動子部固定体５をはめ込むような構成であっても実現可能であり、超音波振動子部３が超音波振動子部固定体５に沿って可動な構成であれば、その構成を限定されるものではない。
【００４３】
さらに図１１は、本発明の第３の実施の形態に係る超音波探触子の別の一例を示す概略図である。なお、本図において、図８と同一部分には同一番号を付して、その説明は省略する。図１１は、図８の超音波振動子部固定体５の片側端部に配置した被検者当接部１２の位置に、もうひとつの超音波振動子部３を設けた構成であり、超音波振動子部３が被検者当接部１２の役割を兼ねたものである。超音波振動子部３は、通常被検者２の表面と当接して使用するためのもので、被検者２との当たりなど十分に考慮されているため、被検者当接部１２の役割を兼ねるのに十分である。このとき、同じ超音波振動子部３を超音波振動子部固定体５の概両端部分に配置することによって、重量及び被検者２との密着度合いのバランスが取れるために、より安定した固定を実現することができる。さらに２つの超音波振動子部３によって、同時に２箇所の診断が可能となり、例えば首のほぼ対称な位置に２本ある頸動脈の診断が２本同時にできるなどの利点がある。さらに好ましくは、超音波振動子部３の被検者２との当接面に、例えばポリビニルアルコールやウレタンゴム、シリコーンゴムなどゲル状高分子弾性体からなる超音波伝搬体層１１を設けることで、被検者２との当たりが柔らかくなると同時に密着度合いも高まるため、被検者２に与える不快感を抑制しつつ精度の高い診断を可能とすることができる。
【００４４】
上記超音波探触子１によれば、被検者２に対して超音波を送受信する超音波振動子部３が、ばね性を有するＣ字型の帯状部材又は線状部材で構成される超音波振動子部固定体５が被検者２を挟み込むことによって簡便に被検者２に固定されるため、診断中の位置ずれが抑制されて安定した超音波信号の送受信を行うことができ、診断画像のブレが少なくなり、得られる生体情報の精度が向上するため、より正確な診断を可能とすることができる。
【００４５】
＜第４の実施の形態＞
図１２は、本発明の第４の実施の形態に係る超音波探触子の一例を示す概略図である。なお、本図において、図１と同一部分には同一番号を付している。この超音波探触子１は、第１の実施の形態と同様に、超音波振動子部３及びケーブル４を備えている。さらに本実施の形態の超音波探触子１は、超音波振動子部３を被検者２に固定するための超音波振動子部固定体５を有し、本実施の形態においては、例えば被検者２の首に固定するために、被検者２の首に巻き付け可能な、例えば水などの超音波伝搬媒体を装填したゴム製の袋帯状部材で構成することができる。この場合、超音波振動子部固定体５は超音波振動子部３と被検者２との間に位置するよう配置されて超音波振動子部３と固定されており、超音波振動子部３を被検者２の首の診断部位に位置合わせしてから超音波振動子部固定体５を首に巻き付けて固定する。このときに、例えば図２や図３と同様に、被検者２の首の太さに合わせて固定できるような固定手段を構成しておく。超音波振動子部３と超音波振動子部固定体５との固定方法は、例えば超音波振動子部固定体５を構成する袋帯状部材と超音波振動子部３の超音波送受信面とを、隙間が空かないように接着剤によって完全に固着させることで、超音波振動子部固定体５を構成する袋帯状部材と内部の超音波伝搬媒体を介して被検者２と超音波振動子部３が超音波の送受信が効率よく行えるようにする。さらに好ましくは、超音波振動子部固定体５を構成する袋帯状部材に、超音波振動子部３の超音波送受信面が収まる大きさの穴をあけ、超音波振動子部３をその穴にはめ込んだ後、超音波伝搬媒体の漏洩がないように袋帯状部材に開けた穴の周囲と超音波振動子部３の側面を接着して固定することで、袋帯状部材による超音波の減衰や反射の影響を半減させることができるので、より効率よく超音波の送受信が可能となる。
【００４６】
さらに、図１３は、本発明の第４の実施の形態に係る超音波探触子の別の一例を示す概略図である。なお、本図において、図１２と同一部分には同一番号を付している。図１３に示した構成は、図１２に示した袋帯状部材で構成された超音波振動子部固定体５に接続され、袋帯状部材に装填された、例えば水からなる超音波伝搬媒体の量を制御するための、例えば蛇腹ポンプからなる超音波伝搬媒体量制御部１４が具備されている。超音波振動子部固定体５を構成する袋帯状部材内の音響伝搬媒体量を制御することで、超音波振動子部３と被検者２との距離を変化させることができ、例えば超音波振動子部３から送受信される超音波ビームの焦点位置を診断部位の深さ位置に合わせるなど最適な距離間隔を実現することができる。さらに、例えば首などの曲率半径の小さな部位を診断する場合には、音響伝搬媒体量を減らすことで被検者２との密着度合いを良くするなど、被検者２の診断部位の形状に合わせて最適な密着度を実現することができる。
【００４７】
上記超音波探触子１によれば、被検者２に対して超音波を送受信するための超音波振動子部３が、超音波振動子部固定体５によって被検者２に固定されるため、診断中の位置ずれが抑制されて安定した超音波信号の送受信を行うことができ、診断画像のブレが少なくなり、得られる生体情報の精度が向上するため、より正確な診断を可能とすることができる。さらに上記超音波探触子１によれば、超音波振動子部固定体５が超音波振動子部３と被検者２との間に介在して、超音波振動子部３と被検者２との密着性を高める役割を合わせ持つため、通常密着性を高めるために使用するゼリーなどの別途塗布を行わずとも、超音波振動子部３と被検者２との間の超音波の送受信が効率よく行われ、正確な診断情報を得ることができる。さらに超音波振動子部固定体５を構成する袋帯状部材に装填された超音波伝搬媒体量を超音波伝搬媒体量制御部１４により制御することで、超音波振動子部３と被検者２との距離や密着度合いを最適化することができ、正確な診断情報を得ることができる。
【００４８】
なお、図１２や図１３では単一の超音波振動子部３の場合について説明したが、例えば首の頸動脈を診断部位とした場合には、左右の頸動脈の位置に合わせて超音波振動子部３を２箇所設けることで、左右の頸動脈を同時に診断することも可能であり、図４Ａ、図４Ｂで示した場合と同様に複数の超音波振動子部３を用いることで、診断部位に対して最適な位置の超音波振動子部３を選択的に用いることができるなど、超音波振動子部３の数や位置については、特に限定されるものではない。
【００４９】
単一の超音波振動子部３を配置している場合には、その部分だけが他よりも質量が重いため、被検者２に固定後に重力によって位置ずれしやすいおそれがあるため、複数の超音波振動子部３を超音波振動子部固定体５上にバランスがとれるように均等な間隔で配置することも好ましい構成である。あるいは図１４に示すように、超音波振動子部固定体５上で全体の質量バランスが取れるように、超音波振動子部３が配置されていない部分には質量バランサ１５を配置して、位置ずれを防止することもまた好ましい構成である。
【００５０】
さらに、第１の実施の形態から第４の実施の形態までに示した超音波探触子において、図１５に示すように、超音波振動子部３が、複数の超音波振動素子が２次元のマトリクス状に配列されたマトリクスアレイ素子１６の構成を有している。この場合には、図１６に示すように２次元マトリクス状に配列された各超音波振動素子で送受信される超音波信号の位相を制御することで任意の方向に超音波ビーム１７を形成することが可能となる。診断部位９と超音波ビーム１７の位置を合わせることによって、診断部位９の診断情報を選択的に取得することが可能となるため、診断部位９と超音波振動子部３との厳密な位置合わせをすることなく、正確な診断情報を得ることが可能となる。
【００５１】
＜第５の実施の形態＞
図１７は、本発明の超音波診断装置の一例を示す概略図である。また、図１８は、例えば動脈硬化診断を目的とした場合の超音波診断装置の構成を示すブロック図である。なお、本図において、図１と同一部分には同一番号を付している。この超音波診断装置２０は、超音波診断装置本体１９と、これと電気的に接続された超音波探触子１とを備えている。超音波診断装置本体１９は、超音波探触子１に駆動信号を送信し、超音波探触子１で受信された信号を検出するための超音波計測部２１と、超音波計測部２１で検出された信号に基づいて被検者２の特性を解析するデータ解析処理部２２と、得られた解析結果を表示する表示装置２３とを備えている。
【００５２】
上記超音波診断装置２０の動作について説明する。まず、操作者が、超音波探触子１の超音波送受信面を被検者２の体表面に当てる。この状態で、超音波診断装置本体１９の超音波計測部２１から、超音波探触子１に電気信号（送信信号）が送信される。送信信号は、超音波探触子１内の超音波振動子部３において超音波に変換されて、被検者２に送波される。この超音波は被検者２の体内で反射され、反射波の一部が超音波振動子部３で受波され、電気信号（受信信号）に変換されて、超音波診断装置本体１９の超音波計測部２１にて受信される。受信信号は、データ解析処理部２２に出力されて解析され、この解析結果が表示装置２３に出力される。
【００５３】
上記超音波診断装置２０において、超音波探触子１としては、第１〜第４の実施形態で説明したような本発明の超音波探触子が使用される。このような超音波診断装置２０によれば、上記各実施形態で示した超音波探触子１の長所を活かし、精度の高い超音波診断を行うことができる。
【産業上の利用可能性】
【００５４】
以上のように、本発明の超音波探触子及びこれを用いた超音波診断装置によれば、超音波を送受信する超音波振動子部の位置ずれを抑制し、あるいは診断部位との位置合わせが簡便となり、正確な超音波診断を可能とする効果を有し、動脈硬化診断などの各種医療分野などで有用である。
【図面の簡単な説明】
【００５５】
【図１Ａ】本発明の第１の実施の形態に係る超音波探触子の使用状態を示す斜視図
【図１Ｂ】図１Ａ中のＡ−Ａ'断面図
【図２】本発明の第１の実施の形態に係る超音波振動子部固定体の固定手段の一例を示す概略図
【図３】本発明の第１の実施の形態に係る超音波振動子部固定体の固定手段の別の一例を示す概略図
【図４Ａ】本発明の第１の実施の形態に係る超音波探触子の複数の超音波振動子部と診断部位との位置関係の一例について示す概略図
【図４Ｂ】本発明の第１の実施の形態に係る超音波探触子の複数の超音波振動子部と診断部位との位置関係の別の一例について示す概略図
【図５Ａ】本発明の第２の実施の形態に係る超音波探触子の一例を示す概略図
【図５Ｂ】本発明の第２の実施の形態に係る超音波探触子の別の一例を示す概略図
【図６】本発明の第２の実施の形態に係る超音波探触子の超音波振動子部と超音波振動子部固定体との固定方法の一例を示す概略図
【図７】本発明の第２の実施の形態に係る超音波探触子の別の一例を示す概略図
【図８】本発明の第３の実施の形態に係る超音波探触子の一例を示す概略図
【図９】本発明の第３の実施の形態に係る超音波探触子の一例を示す被検者頭上から見た概略図
【図１０】本発明の第３の実施の形態に係る超音波探触子の別の一例を示す概略図
【図１１】本発明の第３の実施の形態に係る超音波探触子のさらに別の一例を示す概略図
【図１２】本発明の第４の実施の形態に係る超音波探触子の一例を示す概略図
【図１３】本発明の第４の実施の形態に係る超音波探触子の別の一例を示す概略図
【図１４】本発明の第４の実施の形態に係る超音波探触子のさらに別の一例を示す概略図
【図１５】本発明の第１〜第４の実施の形態に係る超音波探触子の一例を示す概略図
【図１６】本発明の第１〜第４の実施の形態に係る超音波探触子の超音波振動子部と診断部位との位置関係の一例を示す概略図
【図１７】本発明の超音波診断装置の一実施の形態を示す概略図
【図１８】動脈硬化診断を目的とした場合の本発明の超音波診断装置の一実施の形態の及び従来装置の一例の構成を示すブロック図
【符号の説明】
【００５６】
１  超音波探触子
２  被検者
３  超音波振動子部
４  ケーブル
５  超音波振動子部固定体
６  固定手段
７  面ファスナー
８  ホック
９  診断部位
１０  貫通穴
１１  超音波伝搬体層
１２  被検者当接部
１３  ケーブルガイド
１４  超音波伝搬媒体量制御部
１５  質量バランサ
１６  マトリクスアレイ素子
１７  超音波ビーム
１８  鉤状凸部
１９  超音波診断装置本体
２０  超音波診断装置
２１  超音波計測部
２２  データ解析処理部
２３  表示装置
２４  血管
【図１Ａ】
2006247214.tif 000003
【図１Ｂ】
2006247214.tif 000004
【図２】
2006247214.tif 000005
【図３】
2006247214.tif 000006
【図４Ａ】
2006247214.tif 000007
【図４Ｂ】
2006247214.tif 000008
【図５Ａ】
2006247214.tif 000009
【図５Ｂ】
2006247214.tif 000010
【図６】
2006247214.tif 000011
【図７】
2006247214.tif 000012
【図８】
2006247214.tif 000013
【図９】
2006247214.tif 000014
【図１０】
2006247214.tif 000015
【図１１】
2006247214.tif 000016
【図１２】
2006247214.tif 000017
【図１３】
2006247214.tif 000018
【図１４】
2006247214.tif 000019
【図１５】
2006247214.tif 000020
【図１６】
2006247214.tif 000021
【図１７】
2006247214.tif 000022
【図１８】
2006247214.tif 000023